(57)【特許請求の範囲】
【請求項１】
物干し竿などのロッドに掛け下げられ、洗濯物などの被吊下物を吊り下げる吊下用ハンガーにおいて、
前記ロッドにその上方から掛け下げられるフック部と、前記被吊下物を挟んで保持する少なくとも２つの吊下挟持部と、前記ロッドを挟んで当該フック部からそれぞれ下方に延出され前記吊下挟持部より十分低い位置で上方に向けられることで、これらフック部と吊下挟持部との間で下方に突出し、これらフック部と吊下挟持部とを連結するアーム部とを備え、これらフック部、吊下挟持部、アーム部は連結されて、外形形状がＷ字状をなすことを特徴とする吊下用ハンガー。
【請求項２】
前記フック部は、前記ロッドを挟持する方向に付勢する付勢手段を備えていることを特徴とする請求項１に記載の吊下用ハンガー。
【請求項３】
前記吊下挟持部は、相対向し互いに押圧し合い前記被吊下物を把持する把持部を備え、この把持部の間隔を広げる把持部開放手段を備えたことを特徴とする請求項１または２に記載の吊下用ハンガー。
【発明の詳細な説明】
【０００１】
【発明が属する技術分野】
この発明は、洗濯物などを干す際などに用いられ、洗濯物などの被吊下物を保持して物干し竿などに吊下げる吊下げ用ハンガーに関する。
【０００２】
【従来の技術】
従来、洗濯物を干す際に用いられるハンガーとしては、例えば人間の肩に見立てられほぼ二等辺三角形状をなす衣類支持部とその頂部に設けられ物干し竿などに掛け下げられるフック部で構成されるハンガーが知られている。
これらのハンガーには、Ｙシャツ、Ｔシャツなどの肩部分が前記衣類支持部で保持され、スカートやズボンなどのそのウエスト部分が前記ハンガーの底角部分に掛けられてハンガーに洗濯挟みなどで保持されてそのフック部が物干し竿に掛け下げられる。
また、タオル類も場合によって前記ハンガーの底辺部分に掛け下げられるが、バスタオルのような面積が広く丈の長いものは、幅方向に縮められてしわになったり、重なり合ったりして乾きにくいため、物干し竿に２つ折りにして掛け下げられるのが一般的である。
【０００３】
【発明が解決しようとする課題】
ところで、高層マンションの高層階は強風にさらされるためそのバルコニーに洗濯物を干す場合にはバルコニーの手摺りや外壁より高い位置に洗濯物を干すことができない。
また、最近のマンションなどでは建物を含む良好な景観を維持するために、バルコニーなどに干してある洗濯物が外部から見えないように、バルコニーの外壁などより下側に物干し竿が設けられているものも多い。
【０００４】
しかしながら、上記のように低い位置に物干し竿が設けられていると、特にシーツなどの丈の長いものや、ズボンなどを干す場合にはその裾がバルコニーの土間に接触し洗濯したものが再び汚れてしまうことがある。また、シーツなどは裾が汚れないように予め半分に折って２枚重ねの状態で竿に干すこともできるが、重なり合った洗濯物は乾きにくいという課題があった。
【０００５】
そこで、本発明は前記従来の問題に鑑み、丈の長い洗濯物であっても低い位置に設けられた物干し竿に重ねることなく乾燥し易い状態で干すことができる吊下用ハンガーを提供することを目的とする。
【０００６】
【課題を解決するための手段】
かかる目的を達成するために請求項１の発明は、物干し竿などのロッドに掛け下げられ、洗濯物などの被吊下物を吊り下げる吊下用ハンガーにおいて、前記ロッドにその上方から掛け下げられるフック部と、前記被吊下物を挟んで保持する少なくとも２つの吊下挟持部と、前記ロッドを挟んで当該フック部からそれぞれ下方に延出され前記吊下挟持部より十分低い位置で上方に向けられることで、これらフック部と吊下挟持部との間で下方に突出し、これらフック部と吊下挟持部とを連結するアーム部とを備え、これらフック部、吊下挟持部、アーム部は連結されて、外形形状がＷ字状をなすことを特徴とする。
【０００７】
この吊下用ハンガーによれば、ロッドにその上方から掛け下げられるフック部を備え、かつアーム部の先には被吊下物を挟んで保持する吊下挟持部が備えられているので、洗濯ばさみなどを別途用いることなく、被吊下物を吊下挟持部に保持させて吊下用ハンガーとともにロッドに吊り下げることができる。
【０００８】
また、フック部はロッドの上方から掛け下げられるので、例えばシーツのようなシート状のものをロッドに広げて掛け下げた状態であっても、その上方からフック部をロッドに掛けることができる。このとき、前記シート状の被吊下物の裾をその両側方に設けられた吊下挟持部に保持させることができるので、丈の長い吊り下げ物であっても、掛け下げた状態の高さをその丈の約１／４にすることができる。したがって、バルコニーの手摺り程度の低い位置に設けられた物干し竿であっても、丈の長い被吊下物を吊り下げることができる。
【０００９】
また、アーム部は、ロッドを挟んでフック部からそれぞれ下方に延出され吊下挟持部より十分低い位置で上方に向けられることで、これらフック部と吊下挟持部との間で下方に突出し、これらフック部と吊下挟持部とを連結するようになっていて、即ち、フック部と吊下挟持部との間を連結するアーム部は、それらの間で下方に下がり、吊下挟持部はアーム部より上方に突出することになる。このため、例えばシーツをロッドと吊り下げ挟持部との間に掛け渡した場合を想定すると、シーツ間にはアーム部が入り込んで、シーツが互いに重なって貼り付くことを防止でき、またアーム部によりシーツ間に風が流れやすくなって乾燥しやすい状態にできるとともに、この突出した吊下挟持部に靴のような安定した状態で保持しにくいものを容易に保持させることができる。
【００１０】
請求項２の発明は、前記フック部が前記ロッド部を挟持する方向に付勢する付勢手段を備えていることを特徴とする。即ち、フック部は単にロッドに掛け下げるだけでなく、ロッドを所定の付勢力で挟持するので、被吊下物が風などで煽られたとしても、またロッドの両側に位置する吊下挟持部が挟持するものの重量バランスが悪い場合であっても、吊下用ハンガーが傾いたり落下することなく安定した状態を保つことができる。
【００１１】
請求項３の発明は、前記吊下挟持部は、相対向し互いに押圧し合う把持部を備え、この把持部の間隔を広げる把持部開放手段を備えたことを特徴とする。即ち、吊下挟持部は把持部開放手段を備えているので、これを操作して把持部を広げてそれらの間に被吊下物を容易に挟持させることができる。
【００１２】
【発明の実施の形態】
以下、本発明の実施形態を添付図面を参照して詳細に説明する。図１、図２は本発明の吊下ハンガーの一実施形態を示し、図１は吊下ハンガーをロッドに掛け下げた状態を示す正面図、図２はフック部の付勢構造を示す断面図である。
【００１３】
本実施形態の吊下用ハンガー１０は、ロッドをなす物干し竿１２に掛け下げられるフック部１４と、洗濯物などの被吊下物を挟んで保持する吊下挟持部１６と、これらフック部１４と吊下挟持部１６とを連結するアーム１８とで構成されている。この吊下用ハンガー１０のほとんどの部位は、物干し竿１２の軸方向に約４ｃｍの幅を有し、その断面はＵ字溝状に形成され前記物干し竿１２と接する側に底面１０ａを有している。ここで、吊下用ハンガー１０の幅は約４ｃｍに限ることなく、例えば針金や薄板のような幅の狭いものであっても構わない。
【００１４】
これらフック部１４、吊下挟持部１６、アーム１８は連結されて、外形形状がほぼＷ字状をなしている。即ち、Ｗの中央の頂部周辺がフック部１４をなし、両側の端部に吊下挟持部１６が設けられ、それらを繋ぎ下方に突出する部分がアーム１８をなす。
【００１５】
前記フック部１４はその下方が開放され、その内側には物干し竿１２が収納される。このフック部１４は左グリップ部１４ａと右グリップ部１４ｂとで構成され、前記Ｗ字状の中央頂部に設けられた回動軸２０によって互いに回動自在に組み合わされている。この回動軸２０には、ねじり作用によって付勢力を発生させるコイルバネ２２のコイル部分２２ａが挿入され、コイル部分２２ａからその接線方向に延出された両端部２２ｂは前記左右のグリップ部１４ａ、１４ｂの前記底面１０ａ内側にそれぞれ係止されている。このとき左グリップ部１４ａと右グリップ部１４ｂとはそれらが互いに近づく方向に前記コイルバネ２２によって付勢されている。ここで付勢手段はコイルバネに限らず、板バネやゴム、吊下用ハンガー１０自身が樹脂や針金等で形成され弾性を有する場合にはその弾性によって付勢する形態でも構わない。
【００１６】
また、左グリップ部１４ａと右グリップ部１４ｂとには、それらの間に収納される物干し竿１２を互いに挟み、前記付勢力によってこれを保持する押圧部１４ｃが前記底面によってそれぞれ形成されている。この押圧部１４ｃの表面に滑り止めをなす細かな突部やゴムなどを設けておくと物干し竿１２をより高いグリップ力で保持することができる。
【００１７】
前記吊下挟持部１６は、フック部１４の左グリップ部１４ａと右グリップ部１４ｂとからそれぞれ下方に延出されこの吊下挟持部１６より十分低い位置で上方に向けられたアーム１８によって、物干し竿１２と十分に間隔を隔てた位置に設けられている。この吊下挟持部１６は、吊下用ハンガー１０を掛け下げたときにそのバランスが安定した状態に保たれるように、フック部１４よりわずかに低い位置で物干し竿１２を挟んで対称になるように配設されている。
【００１８】
この吊下挟持部１６は、前記アーム１８の先端側に延出されて一体をなすアーム側挟持部２４とこれに回動自在に取り付けられた挟持部材２６とを備え、前記フック部１４と同様に図示しない付勢手段によって付勢され、アーム側挟持部２４と挟持部材２６とが互いに近づく方向に付勢されている。これらアーム側挟持部２４と挟持部材２６とには前記付勢力によって相対向し互いに押圧し合う把持部２４ａ、２６ａを備え、この把持部２４ａ、２６ａの間で被吊下物を保持するようになっている。
【００１９】
図３、図４はこの吊下用ハンガー１０を用いてシーツ２８を干した例を示している。即ち、シーツ２８を半分にして掛け下げた物干し竿１２の上方から、左グリップ部１４ａと右グリップ部１４ｂとが離れる方向に引っ張りつつフック部１４に物干し竿１２が収納されるように吊下用ハンガー１０を下げ降ろし、前記引っ張り力を開放させることによって、左グリップ部１４ａと右グリップ部１４ｂとの押圧部１４ｃで物干し竿１２を保持させる。また、シーツ２８の裾は持ち上げられ、物干し竿１２を挟んで両側に配設された前記吊下挟持部１６にそれぞれ挟持させる。このとき、吊下用ハンガー１０は物干し竿１２の軸方向に適宜間隔を隔てて複数取り付け、シーツ２８を広げた状態に保持する。
【００２０】
この発明によれば、シーツ２８を物干し竿１２に広げて掛け下げた状態であっても、その上方から吊下用ハンガー１０を掛けることができるとともに、その吊下挟持部１６をフック部１４の側方に配置することができる。このため、物干し竿１２に掛け下げられたシーツ２８が物干し竿１２から離れないように抑えることができるとともに、シーツ２８の裾を持ち上げてその側方の吊下挟持部１６で挟持することができる。したがって、物干し竿１２に掛け下げられたシーツ２８の高さはシーツ２８の全長のほぼ１／４になり、物干し竿１２の高さが低い場所であってもシーツ２８を広げて干すことができる。殊に、フック部１４と吊下挟持部１６とに保持され対向するシーツ２８間にはアーム１８が入り込んでそれらが互いに重なって貼り付くことを防止するので、それらの間を風が流れ乾燥しやすい状態にシーツ２８を維持して干すことができる。
【００２１】
また、フック部１４はコイルバネ２２による付勢力により物干し竿１２を挟む構成としたので、物干し竿１２に掛け下げられたシーツ２８などを単に上方から押さえるだけでなく、物干し竿１２に確実に保持させることができ、たとえシーツ２８などが風で煽られたとしても保持することができる。本実施形態では、フック部１４が物干し竿１２を挟み込む形態について説明したが、必ずしも挟み込む必要はなく単に上方から掛け下げてシーツ２８などを押さえるものでも構わない。さらに、吊下挟持部１６は左グリップ部１４ａ及び右グリップ部１４ｂからそれぞれ複数本づつ延出させたアーム１８にそれぞれ設けると、１つの吊下用ハンガー１０を用いるだけでシーツ２８を広げた状態で干すことができる。
【００２２】
この吊下用ハンガー１０の使用法としては、シーツ２８に限られない。例えばフック部１４の内側寸法を物干し竿１２の直径より十分に大きく形成しておくと、布団干し用の押さえ具としても使用できる。
【００２３】
また、例えば図５に示すように、上方に突出した吊下挟持部１６とアーム１８の下がった部分とを利用し、その吊下挟持部１６の上方から靴３０を被せるように掛けると靴３０を干すことができる。このときフック部１４が物干し竿１２を所定の付勢力で挟む形態であれば、物干し竿１２の両側に靴３０の片側をそれぞれ掛けてバランスを調節する必要はなく靴３０の片側のみを干すことも可能である。
【００２４】
また、別の使用法としては、図６に示すようにズボン３２やスカートのウエスト部分３２ａを直接吊下挟持部１６で保持すると、洗濯ばさみなどを別途用意するような煩わしい手間がかからない。この吊下用ハンガー１０にズボン３２などを掛けた場合にはそのウエスト部分３２ａの位置が物干し竿１２とほぼ同じ高さまで持ち上げられ、従来のハンガーに掛けた場合より高い位置で保持することができる。このため、ズボン３２を吊り下げた場合であっても裾が汚れることはない。さらに、低い物干し竿１２であってもズボン３２などを物干し竿１２に対して直角に並べて吊り下げられるので、狭いスペースであっても多くの洗濯物を同時に効率よく干すことができる。このとき、ズボン３２やスカートのウエスト部分３２ａが環状をなすように開き、このウエスト部分３２ａを間隔を隔てて取り付けた２本の吊下用ハンガー１０の４つの吊下挟持部１６で保持するとズボン３２などの内部に風が通りやすくなり乾燥しやすい状態で干すことができる。さらに、物干し竿１２はフック部１４とズボン３２とによって囲まれているので、風などに煽られたとしても吊下用ハンガー１０が物干し竿１２から外れ落ちることはない。
【００２５】
また、本実施形態においては、吊下挟持部１６をフック部１４と同様に被吊下物を挟持する把持部２４ａ、２６ａを開く方向に引っ張ってそれらの間を広げる形態としたが、図７に示すように、アーム側挟持部２４と挟持部材２６とをそれぞれ回動軸３４より上方に延出させて把持部開放手段をなす取手３６を設け、これら取手３６を互いに近づける方向に摘むことによって把持部２４ａ、２６ａの間隔が開くように構成すると、片手で容易に操作することができ使い勝手のよい吊下用ハンガー１０を実現することができる。
【００２６】
本実施形態では、物干し竿１２にシーツ３８などを掛ける例を示したが、クローゼットなどで使用し、ズボンやスカートなどの衣類を吊り下げても構わない。
【００２７】
【発明の効果】
以上のように、本発明の吊下用ハンガーによれば、ロッドに広げて掛け下げた丈の長い被吊下物の上方からフック部を掛け下げ、その側方の吊下挟持部にその被吊下物の裾を保持することができるので、丈の長い被吊下物であっても低い位置に設けられた物干し竿に吊り下げることができる。
【００２８】
また、フック部の両側方に設けられた吊下挟持部に被吊下物を吊り下げることができるので、洗濯ばさみなどを別途用いることなくズボンなども吊り下げることができ、さらにアーム部より例えばシーツをロッドと吊り下げ挟持部との間に掛け渡した場合を想定すると、シーツ間にはアーム部が入り込んで、シーツが互いに重なって貼り付くことを防止でき、かつまたシーツ間に風が流れやすくなって乾燥しやすい状態にできるとともに、またアーム部によって上方に突出する吊下挟持部に靴を掛けるなど、様々な被吊下物を安定させて吊り下げることができる。
【００２９】
さらに、フック部にロッドを挟持する付勢手段を備えると吊下用ハンガーが傾いたり落下することはなく、吊下用ハンガーをロッドに掛け下げた状態を保つことができ、吊下挟持部に把持部開放手段を備えると被吊下物を容易に保持させることができる。
【図面の簡単な説明】
【図１】本発明の一実施形態に係る吊下用ハンガーをロッドに掛け下げた状態を示す正面図である。
【図２】フック部の付勢構造を示す断面図である。
【図３】本発明の吊下用ハンガーを用いてシーツを干した状態を示す斜視図である。
【図４】図２のＡ矢視図である。
【図５】吊下用ハンガーに靴を掛けた例を示す正面図である。
【図６】吊下用ハンガーにズボンを掛けた例を示す正面図である。
【図７】本発明に係る吊下用ハンガーの変形例を示す正面図である。
【符号の説明】
１０  吊下用ハンガー
１２  物干し竿（ロッド）
１４  フック部
１６  吊下挟持部
１８  アーム
２２  コイルバネ（付勢手段）
２４ａ、２６ａ  把持部
３６  取手（把持部開放手段）
【図１】
0003756426.tif 000002
【図２】
0003756426.tif 000003
【図３】
0003756426.tif 000004
【図４】
0003756426.tif 000005
【図５】
0003756426.tif 000006
【図６】
0003756426.tif 000007
【図７】
0003756426.tif 000008